【手続補正書】
【提出日】平成30年6月20日(2018.6.20)
【手続補正１】
【補正対象書類名】明細書
【補正対象項目名】０１７７
【補正方法】変更
【補正の内容】
【０１７７】
本発明の一実施態様では、少なくとも１種の基油は、本発明により使用される潤滑剤組成物を得るために、本発明により使用される添加剤濃縮物型組成物に加えられてもよい。
なお、本発明は、実施の態様として以下の内容を含む。
〔態様１〕
乗り物エンジン中のノックを減少させるための潤滑剤組成物の使用であって、
前記潤滑剤組成物は下記を含む：
−  少なくとも１種の基油、
−  少なくとも１種の式（Ｉ）の化合物：
【化１７】
2017524778.tif 000001
式中：
＊  Ｘ---Ｙは以下を表わす：
【化１８】
2017524778.tif 000002
＊  Ｒ１は水素原子、直鎖または分岐鎖の、飽和又は不飽和の、置換又は非置換の、１〜１０の炭素原子で構成されるアルキル基、―ＯＲ１７基、―ＮＲ１８Ｒ１９基を表わす；
＊  Ｒ２は水素原子、直鎖または分岐鎖の、飽和又は不飽和の、置換又は非置換の、１〜１０の炭素原子で構成されるアルキル基、―ＯＲ２０基、―ＮＲ２１Ｒ２２基を表わす；
＊  Ｒ３は水素原子、直鎖または分岐鎖の、飽和又は不飽和の、置換又は非置換の、１〜１０の炭素原子で構成されるアルキル基、―ＯＲ２３基、―ＮＲ２４Ｒ２５基を表わす；
＊  Ｒ４は水素原子、直鎖または分岐鎖の、飽和又は不飽和の、置換又は非置換の、１〜１０の炭素原子で構成されるアルキル基、―ＯＲ２６基、―ＮＲ２７Ｒ２８基を表わす；
＊  Ｒ５は水素原子、直鎖または分岐鎖の、飽和又は不飽和の、置換又は非置換の、１〜１０の炭素原子で構成されるアルキル基、―ＯＲ２９基、―ＮＲ３０Ｒ３１基を表わす；
＊  Ｒ６は水素原子、直鎖または分岐鎖の、飽和又は不飽和の、置換又は非置換の、１〜１０の炭素原子で構成されるアルキル基、―ＯＲ３２基、―ＮＲ３３Ｒ３４基を表わす；
＊  Ｒ７は水素原子、直鎖または分岐鎖の、飽和又は不飽和の、置換又は非置換の、１〜１０の炭素原子で構成されるアルキル基、―ＯＲ３５基、―ＮＲ３６Ｒ３７基を表わす；
＊  Ｒ８は水素原子、直鎖または分岐鎖の、飽和又は不飽和の、置換又は非置換の、１〜１０の炭素原子で構成されるアルキル基、―ＯＲ３８基、―ＮＲ３９Ｒ４０基を表わす；
＊  Ｒ９は水素原子、直鎖または分岐鎖の、飽和又は不飽和の、置換又は非置換の、１〜１０の炭素原子で構成されるアルキル基、―ＯＲ４１基、―ＮＲ４２Ｒ４３基を表わす；
＊  Ｒ１０は水素原子、直鎖または分岐鎖の、飽和又は不飽和の、置換又は非置換の、１〜１０の炭素原子で構成されるアルキル基、―ＯＲ４４基、―ＮＲ４５Ｒ４６基を表わす；
＊  Ｒ１１は水素原子、直鎖または分岐鎖の、飽和又は不飽和の、置換又は非置換の、１〜１０の炭素原子で構成されるアルキル基、―ＯＲ４７基、―ＮＲ４８Ｒ４９基を表わす；
＊  Ｒ１２は水素原子、直鎖または分岐鎖の、飽和又は不飽和の、置換又は非置換の、１〜１０の炭素原子で構成されるアルキル基、―ＯＲ５０基、―ＮＲ５１Ｒ５２基を表わす；
＊  Ｒ１３は水素原子、直鎖または分岐鎖の、飽和又は不飽和の、置換又は非置換の、１〜１０の炭素原子で構成されるアルキル基、―ＯＲ５３基、―ＮＲ５４Ｒ５５基を表わす；
＊  Ｒ１４は水素原子、直鎖または分岐鎖の、飽和又は不飽和の、置換又は非置換の、１〜１０の炭素原子で構成されるアルキル基、―ＯＲ５６基、―ＮＲ５７Ｒ５８基を表わす；
＊  Ｒ１５は水素原子、直鎖または分岐鎖の、飽和又は不飽和の、置換又は非置換の、１〜１０の炭素原子で構成されるアルキル基、―ＯＲ５９基、―ＮＲ６０Ｒ６１基を表わす；
＊  Ｒ１６は水素原子、直鎖または分岐鎖の、飽和又は不飽和の、置換又は非置換の、１〜１０の炭素原子で構成されるアルキル基、―ＯＲ６２基、―ＮＲ６３Ｒ６４基を表わす；
＊  Ｒ１７、Ｒ２０、Ｒ２３、Ｒ２６、Ｒ２９、Ｒ３２、Ｒ３５、Ｒ３８、Ｒ４１、Ｒ４４、Ｒ４７、Ｒ５０、Ｒ５３、Ｒ５６、Ｒ５９およびＲ６２は、同一または異なって、直鎖または分岐鎖の、飽和又は不飽和の、置換又は非置換の、１〜１０の炭素原子で構成されるアルキル基を独立して表わす；
＊  Ｒ１８、Ｒ１９、Ｒ２１、Ｒ２２、Ｒ２４、Ｒ２５、Ｒ２７、Ｒ２８、Ｒ３０、Ｒ３１、Ｒ３３、Ｒ３４、Ｒ３６、Ｒ３７、Ｒ３９、Ｒ４０、Ｒ４２、Ｒ４３、Ｒ４５、Ｒ４６、Ｒ４８、Ｒ４９、Ｒ５１、Ｒ５２、Ｒ５４、Ｒ５５、Ｒ５７、Ｒ５８、Ｒ６０、Ｒ６１、Ｒ６３およびＲ６４は、同一または異なって、水素原子、または飽和又は不飽和の、置換又は非置換の、１〜３の炭素原子で構成されるアルキル基を独立して表わす。
〔態様２〕
態様１に記載の潤滑剤組成物の使用であって、式（Ｉ）の化合物は式（Ｉａ）である使用。
【化１９】
2017524778.tif 000003
〔態様３〕
態様２に記載の潤滑剤組成物の使用であって、Ｒ５とＲ６は水素原子を表わす、使用。
〔態様４〕
態様２または３に記載の潤滑剤組成物の使用であって、Ｒ１、Ｒ２、Ｒ３およびＲ４は水素原子を表わす、使用。
〔態様５〕
態様１に記載の潤滑剤組成物の使用であって、式（Ｉ）の化合物は式（Ｉｂ）である使用。
【化２０】
2017524778.tif 000004
〔態様６〕
態様５に記載の潤滑剤組成物の使用であって、Ｒ７、Ｒ８、Ｒ９およびＲ１０は水素原子を表わす、使用。
〔態様７〕
態様５または６に記載の潤滑剤組成物の使用であって、Ｒ１、Ｒ２、Ｒ３およびＲ４は水素原子を表わす、使用。
〔態様８〕
態様１に記載の潤滑剤組成物の使用であって、式（Ｉ）の化合物は式（Ｉｃ）である使用。
【化２１】
2017524778.tif 000005
〔態様９〕
態様８に記載の潤滑剤組成物の使用であって、Ｒ１５とＲ１６が水素原子を表わす、使用。
〔態様１０〕
態様８または９に記載の潤滑剤組成物の使用であって、Ｒ１１、Ｒ１２、Ｒ１３およびＲ１４が水素原子を表わす、使用。
〔態様１１〕
態様８〜１０のいずれか一態様に記載の潤滑剤組成物の使用であって、Ｒ１、Ｒ２、Ｒ３およびＲ４が水素原子を表わす、使用。
〔態様１２〕
態様１〜１１のいずれか一態様に記載の潤滑剤組成物の使用であって、潤滑剤組成物の全質量に対して、式（Ｉ）の化合物の質量含有率が０．５〜２５％（好ましくは１〜２０％、有利には５〜１５％）の範囲である、使用。
〔態様１３〕
態様１〜１２のいずれか一態様に記載の潤滑剤組成物の使用であって、さらに、清浄剤、摩擦調整剤、分散剤、耐摩耗添加剤、極圧添加剤、酸化防止剤、粘度指数向上ポリマー、流動点降下剤、消泡剤、増粘剤およびそれらの混合物から選択された少なくとも１つの添加剤を含む、使用。
〔態様１４〕
乗り物エンジン中のノックを減少させるための、少なくとも１種の基油を含む潤滑剤組成物の中の、添加剤濃縮物型組成物の使用であって、
前記添加剤濃縮物型組成物は、下記を含む使用。
−  少なくとも１種の式（Ｉ）の化合物：
【化２２】
2017524778.tif 000006
式中：
＊  Ｘ---Ｙは以下を表わす：
【化２３】
2017524778.tif 000007
＊  Ｒ１は水素原子、直鎖または分岐鎖の、飽和又は不飽和の、置換又は非置換の、１〜１０の炭素原子で構成されるアルキル基、―ＯＲ１７基、―ＮＲ１８Ｒ１９基を表わす；
＊  Ｒ２は水素原子、直鎖または分岐鎖の、飽和又は不飽和の、置換又は非置換の、１〜１０の炭素原子で構成されるアルキル基、―ＯＲ２０基、―ＮＲ２１Ｒ２２基を表わす；
＊  Ｒ３は水素原子、直鎖または分岐鎖の、飽和又は不飽和の、置換又は非置換の、１〜１０の炭素原子で構成されるアルキル基、―ＯＲ２３基、―ＮＲ２４Ｒ２５基を表わす；
＊  Ｒ４は水素原子、直鎖または分岐鎖の、飽和又は不飽和の、置換又は非置換の、１〜１０の炭素原子で構成されるアルキル基、―ＯＲ２６基、―ＮＲ２７Ｒ２８基を表わす；
＊  Ｒ５は水素原子、直鎖または分岐鎖の、飽和又は不飽和の、置換又は非置換の、１〜１０の炭素原子で構成されるアルキル基、―ＯＲ２９基、―ＮＲ３０Ｒ３１基を表わす；
＊  Ｒ６は水素原子、直鎖または分岐鎖の、飽和又は不飽和の、置換又は非置換の、１〜１０の炭素原子で構成されるアルキル基、―ＯＲ３２基、―ＮＲ３３Ｒ３４基を表わす；
＊  Ｒ７は水素原子、直鎖または分岐鎖の、飽和又は不飽和の、置換又は非置換の、１〜１０の炭素原子で構成されるアルキル基、―ＯＲ３５基、―ＮＲ３６Ｒ３７基を表わす；
＊  Ｒ８は水素原子、直鎖または分岐鎖の、飽和又は不飽和の、置換又は非置換の、１〜１０の炭素原子で構成されるアルキル基、―ＯＲ３８基、―ＮＲ３９Ｒ４０基を表わす；
＊  Ｒ９は水素原子、直鎖または分岐鎖の、飽和又は不飽和の、置換又は非置換の、１〜１０の炭素原子で構成されるアルキル基、―ＯＲ４１基、―ＮＲ４２Ｒ４３基を表わす；
＊  Ｒ１０は水素原子、直鎖または分岐鎖の、飽和又は不飽和の、置換又は非置換の、１〜１０の炭素原子で構成されるアルキル基、―ＯＲ４４基、―ＮＲ４５Ｒ４６基を表わす；
＊  Ｒ１１は水素原子、直鎖または分岐鎖の、飽和又は不飽和の、置換又は非置換の、１〜１０の炭素原子で構成されるアルキル基、―ＯＲ４７基、―ＮＲ４８Ｒ４９基を表わす；
＊  Ｒ１２は水素原子、直鎖または分岐鎖の、飽和又は不飽和の、置換又は非置換の、１〜１０の炭素原子で構成されるアルキル基、―ＯＲ５０基、―ＮＲ５１Ｒ５２基を表わす；
＊  Ｒ１３は水素原子、直鎖または分岐鎖の、飽和又は不飽和の、置換又は非置換の、１〜１０の炭素原子で構成されるアルキル基、―ＯＲ５３基、―ＮＲ５４Ｒ５５基を表わす；
＊  Ｒ１４は水素原子、直鎖または分岐鎖の、飽和又は不飽和の、置換又は非置換の、１〜１０の炭素原子で構成されるアルキル基、―ＯＲ５６基、―ＮＲ５７Ｒ５８基を表わす；
＊  Ｒ１５は水素原子、直鎖または分岐鎖の、飽和又は不飽和の、置換又は非置換の、１〜１０の炭素原子で構成されるアルキル基、―ＯＲ５９基、―ＮＲ６０Ｒ６１基を表わす；
＊  Ｒ１６は水素原子、直鎖または分岐鎖の、飽和又は不飽和の、置換又は非置換の、１〜１０の炭素原子で構成されるアルキル基、―ＯＲ６２基、―ＮＲ６３Ｒ６４基を表わす；
＊  Ｒ１７、Ｒ２０、Ｒ２３、Ｒ２６、Ｒ２９、Ｒ３２、Ｒ３５、Ｒ３８、Ｒ４１、Ｒ４４、Ｒ４７、Ｒ５０、Ｒ５３、Ｒ５６、Ｒ５９およびＲ６２は、同一または異なって、直鎖または分岐鎖の、飽和又は不飽和の、置換又は非置換の、１〜１０の炭素原子で構成されるアルキル基を独立して表わす；
＊  Ｒ１８、Ｒ１９、Ｒ２１、Ｒ２２、Ｒ２４、Ｒ２５、Ｒ２７、Ｒ２８、Ｒ３０、Ｒ３１、Ｒ３３、Ｒ３４、Ｒ３６、Ｒ３７、Ｒ３９、Ｒ４０、Ｒ４２、Ｒ４３、Ｒ４５、Ｒ４６、Ｒ４８、Ｒ４９、Ｒ５１、Ｒ５２、Ｒ５４、Ｒ５５、Ｒ５７、Ｒ５８、Ｒ６０、Ｒ６１、Ｒ６３およびＲ６４は、同一または異なって、水素原子、または飽和又は不飽和の、置換又は非置換の、１〜３の炭素原子で構成されるアルキル基を独立して表わす。
−  清浄剤、摩擦調整剤、耐摩耗添加剤、分散剤、極圧添加剤、酸化防止剤、粘度指数向上ポリマー、流動点降下剤、消泡剤、増粘剤およびそれらの混合物から選択された少なくとも１つの添加剤。